(57)【要約】【課題】樋集水器の荷重による軒樋の垂れ下がりを防止するとともにゴミ除け機能を有する軒樋連結体を提供する。【解決手段】樋集水器の両面開口部の軒樋挿入部に挿入される軒樋同士の連結用に供される軒樋連結体において、網状体部と連結部から構成されており、連結部は、屋外側に位置する屋外連結部と、壁側に位置する壁連結部から形成されており、軒樋の前壁部及び後壁部の端部内側に形成された凹溝に係合する屋外突起と壁突起を有している。さらに、連結部は、屋外連結部には屋外突起に相対する位置に包持片が軒樋の前耳部に当接する。【選択図】    図１ 
2005307540.tif 000002
【特許請求の範囲】
【請求項１】
樋集水器（９）の両面開口部の軒樋挿入部（９１）に挿入される軒樋（１，１）同士の連結用に供される網状体部（３）と連結部（４）から構成されている軒樋連結体（２）。
【請求項２】
連結部（４）は屋外側に位置する屋外連結部（４１）と、壁側に位置する壁連結部（４２）から形成されており、軒樋（１）の前壁部（１２）及び後壁部（１３）の端部内側に形成された凹溝（１６）に係合する屋外突起（５１）と壁突起（５２）を有している請求項１記載の軒樋連結体（２）。
【請求項３】
連結部（４）は、屋外側に位置する屋外連結部（４１）と、壁側に位置する壁連結部（４２）から形成されており、屋外連結部（４１）には屋外突起（５１）に相対する位置に包持片（６）が軒樋（１）の前耳部（１４）に当接する形状に形成されている請求項１又は２記載の軒樋連結体（２）。
【発明の詳細な説明】
【技術分野】
【０００１】
樋集水器の両面開口部の軒樋挿入部に挿入される軒樋の耳部の連結用に供される軒樋連結体に関する。
【背景技術】
【０００２】
軒樋から竪樋方向に雨水を落とす軒樋落とし口には、通常、樋集水器やドレンや軒樋落とし口を有する軒樋継手が使用されている。樋集水器の場合には、樋集水器の両面開口部の軒樋挿入部にそれぞれ軒樋の端部を挿入し、樋集水器の底部の排水口に設けられた竪樋取付部に竪樋や竪樋に通じるエルボ等を取り付け、屋根に降った雨水を軒樋で集め、この雨水を樋集水器から竪樋に流す構造になっている。
【０００３】
一方、軒樋を軒先に取り付けていると、夏冬等の温度差によって軒樋が水平方向に伸縮し蛇行等の変形や破損を生じることから、それを防止するために樋集水器内で軒樋を切断して伸縮を吸収している。樋集水器内で軒樋を切断分離しているために、この樋集水器に接続される軒樋の端部において、樋集水器の荷重により垂れ下がり、美観性の低下や排水性の低下をきたす。また、樋集水器が垂れ下がることにより、落ち葉等のゴミがより溜まりやすくなるという問題があった。
【０００４】
樋集水器内での軒樋の接続とゴミ除けとして軒樋落とし口の構造が開示されている（例えば特許文献１参照）。
【特許文献１】特開平９−２４２２７６号公報
【発明の開示】
【発明が解決しようとする課題】
【０００５】
本発明は従来の欠点を解決し、樋集水器の荷重による軒樋の垂れ下がりを防止するとともに、ゴミ除け機能を有する軒樋連結体を提供することにある。
【課題を解決するための手段】
【０００６】
即ち、本発明は樋集水器の両面開口部の軒樋挿入部に挿入される軒樋同士の連結用に供される軒樋連結体である。軒樋連結体が網状体部と連結部から構成されている。また、連結部は、屋外側に位置する屋外連結部と、壁側に位置する壁連結部から形成されており、軒樋の前壁部及び後壁部の端部内側に形成された凹溝に係合する屋外突起と壁突起を有している。さらに、屋外連結部には屋外突起に相対する位置に包持片が軒樋の前耳部に当接する形状に形成されている。
【発明の効果】
【０００７】
樋集水器の荷重による軒樋の垂れ下がりを防止するとともにゴミ除け機能を有した軒樋連結体を得ることができる。
【発明を実施するための最良の形態】
【０００８】
軒樋連結体の材質は、プラスチック建材として従来公知の樹脂を適宜選択して採用でき、例えば、硬質塩化ビニル樹脂、アクリル樹脂、ポリカーボネート樹脂、ＡＥＳ樹脂（アクリロニトリル・エチレン−プロピレンゴム・スチレン樹脂）等やこれらの混合物を含むものを使用できる。また、軒樋及び樋集水器の材質は、軒樋連結体と同一であっても、異なるものであってもよい。
【０００９】
本発明の軒樋連結体にて接続される軒樋について説明する。軒樋の断面形状は、前壁部及び後壁部の端部内側に凹溝が形成されていれば角型、丸型、略Ｕ字状型のいずれであっても良い。例えば、軒樋１は図３に示すような平坦な底壁部１１と、屋外側に位置して立設した前壁部１２と、建物側に位置して立設した後壁部１３とで溝形状の樋本体部が構成されている。前壁部１２及び後壁部１３の上端部に前耳部１４と後耳部１５が形成されている。前耳部１４と後耳部１５には、軒樋内側に開口した凹溝１６が形成されている。凹溝１６の樋内側には、垂下片１７が形成されている。
【００１０】
軒樋連結体２は、図１〜図３に示すように、樋集水器９の両面開口部の軒樋挿入部９１に挿入される軒樋同士の連結用に供され、網状体部３と連結部４から構成されている。軒樋連結体２は、軒樋１の開口部側を覆うものであり、幅方向の大きさは軒樋１の開口部寸法（前耳部１４と後耳部１５との間隔）に略等しい幅寸法を有し且つ上下方向に薄く形成されている。
【００１１】
網状体部３の開口形状としては、軒樋内に進入する風雨を通しながら竪樋に侵入しては目詰まりを起こすような、例えば落葉樹の落ち葉などを通さない機能を有するものであれば適宜選択でき、例えば、丸形状、角形状、多角形状がある。網状体部３の軒樋長手方向の両端部側に、軒樋１の底壁部１２に近接する垂下体８を設けてもよい。
【００１２】
連結部４は、屋外側に位置する屋外連結部４１と、建物の壁側に位置する壁連結部４２から形成されている。さらに屋外連結部４１と軒樋の垂下片１７と係合する屋外突起５１と、壁連結部４２垂下片１７と係合する壁突起５２が形成されている。
【００１３】
屋外突起５１と壁突起５２の形状にあっては、軒樋１の垂下片１７と係合可能であれば特に限定しないが、例えば、網状体部３から垂下片１７へ突出した板状体、棒状体、半球体などがある。屋外突起５１の下側形状に、例えば面取り加工などを行うことにより、軒樋１の前耳部１４を屋外突起５１に係合する際の抵抗を軽減することができる。壁突起５２は、軒樋１と係合する際の後耳部１５の垂下片１７との支点となるため、板状体又は棒状体が望ましい。屋外突起５１と壁突起５２の上面は、垂下片１７に対して垂直な平面が望ましく、該平面の軒樋１の開口部方向の長さは垂下片１７と係合可能であれば特に限定しない。屋外突起５１と壁突起５２の上下方向の厚さは、軒樋１の凹溝１６に挿入できる厚さであればよい。
【００１４】
軒樋連結体２の使用態様を、図１〜図３に基づいて説明する。樋集水器９の両面開口部の軒樋挿入部９１に、軒樋１、１の端部を挿入する。この挿入長さは、樋集水器９に表示されている挿入目安位置（図省略）に合わせるが、樋集水器９の内側に２０ｍｍ以上突出することが好ましい。挿入長さが短すぎると、軒樋１、１が年間の気温の寒暖の差による軒樋の伸縮量により、樋集水器９から外れることもある。次に、軒樋連結体２を軒樋１、１の端部を覆うよう樋集水器９の両面開口部の内側に配置する。さらに、軒樋連結体２が壁側を下向きになるよう斜めにして、軒樋１、１の端部の壁側の後耳部１５の垂下片１７の先端を壁突起５２の上に合わせる、さらにそこを支点にして、屋外連結部４１を下向きに回動させながら軒樋１、１の端部の屋外側の前耳部１４に、屋外突起５１を係合させ、さらに軒樋１、１の下端角部１８を包持片６で包持する。包持片６は、屋外突起５１に相対する位置に配置されており、軒樋の前耳部１４に当接する形状に形成されている。これにより、樋集水器９の内側に突出した軒樋１、１の端部の前耳部１４と後耳部１５が軒樋連結体２で連結される。
【００１５】
このように軒樋１、１端部に樋集水器９が装着された状態において、軒樋１、１端部同士を連結して、さらに軒樋１、１端部同士を覆うことにより樋集水器９の荷重による軒樋１、１の垂れ下がりを防止することができると共に、網状体部３により、例えば落ち葉が樋集水器９内に入るのを防ぐことができる。このように、樋集水器９内に装着された網状体部３は落ち葉が樋集水器上面に落下するか、または、屋根に落下して屋根瓦などを伝わって樋集水器９に滑り落ちた落ち葉は、網状体部３に留まる。その落ち葉は、しばらくはそこに留まるが、季節風や何等かの強風に吹き飛ばされて網状体部３に留まることはない。
【００１６】
次に軒樋連結体２を、複数の樋集水器に適合させる方法について説明する。同一の軒樋でも、軒樋との直線性やデザイン等によりわずかに前後、横幅の寸法が相違していることにより複数の樋集水器が存在する。この場合、樋集水器の開口部寸法に合わせ、適宜容易に切断できる切込みのための目安線９２１，９２２，９２３を設け、該目安線を金切りハサミ等で切断することで、樋集水器内の軒樋の耳部に嵌合装着できるよう形成されている。
【実施例】
【００１７】
本発明に係る実施例について、図１〜図４を参照しつつ、詳細に説明する。
【００１８】
（実施例１）本実施例の軒樋連結体２は、硬質塩化ビニル樹脂製で射出成型機を用いて賦形した。軒樋１は、硬質塩化ビニル樹脂製で二軸異方向押出機を用いて押出成形により賦形した。軒樋１は、開口部１２０ｍｍ、前壁部１２と後壁部１３の高さが共に６５ｍｍ、凹溝１６の開口幅は５ｍｍの断面形状が略Ｕ字状型である。また、軒樋連結体２はフラットな形状で、軒樋１の長さ方向の長さ１７０ｍｍ、幅は軒樋１の前耳部１４と後耳部１５が連結できる１３０ｍｍである。網状体部３を構成する格子体７は、２０×３０ｍｍの開口部寸法である。また、複数の樋集水器の開口部寸法に合わせるために、切込みのための目安線として９２１，９２２、９２３が標示してあり、それを切断することで複数の樋集水器の開口部に合わせることができる。
【００１９】
（実施例２）
本実施例の軒樋１は、開口部１４０ｍｍ、前側の高さが１１０ｍｍ、後側の高さが７５ｍｍの角型の形状である。軒樋連結体２は、軒樋１に合わせるため中央で段差が付いており、長さ２１０ｍｍ、幅は、１５０ｍｍで、垂下体８を形成している。垂下体８は、軒樋１の底壁部１１に近接した櫛状である。
【図面の簡単な説明】
【００２０】
【図１】実施例１における軒樋、樋集水器軒樋及び軒樋連結体の接合状態を示す上面図である。
【図２】実施例１における軒樋と軒樋連結体の接合状態を示す説明図である。
【図３】実施例１における軒樋と軒樋連結体の接合状態を示す説明図である。
【図４】実施例２における軒樋と軒樋連結体の接合状態を示す要部説明図である。
【符号の説明】
【００２１】
１      軒樋
１１    底壁部
１２    前壁部
１３    後壁部
１４    前耳部
１５    後耳部
１６    凹溝
１７    垂下片
１８    下端角部
２      軒樋連結体
３      網状体部
４      連結部
４１    屋外連結部
４２    壁連結部
５１    屋外突起
５２    壁突起
６      包持片
７      格子体  
８      垂下体
９      樋集水器
９１    軒樋挿入部
９２１，９２２，９２３    目安線
【図１】
2005307540.tif 000003
【図２】
2005307540.tif 000004
【図３】
2005307540.tif 000005
【図４】
2005307540.tif 000006